(57)【要約】      （修正有）【課題】魚を陸揚げするために使用するタモの柄を片手で容易に操作できることができる脱着式タモの柄伸縮部品を提供する。【解決手段】ラチェットギヤ４と、握ることによってラチェットギヤをまわすグリップ２と、ラチェットギヤの回転を伝える二つの大きさの違う歯車５、６と、二つの歯車のうち一つと連動し、タモの柄１に接触してタモの柄を伸縮する円柱状の軸７から構成される。装着固定ベルト１７、１８でタモの柄に装着することにより、タモの柄を加工することなくそのまま使用できる。【選択図】図１
0003196717.tif 000002
【実用新案登録請求の範囲】
【請求項１】
魚を陸揚げするときに使用するタモの柄に、グリップを握って握る力をギヤに伝えて、ギヤが回転する力をタモの柄に伝えることが出来る部品を装着して使用することで、タモの柄が片手でも容易に伸縮できることを特徴とする脱着式タモの柄伸縮部品。
【請求項２】
従来のタモの柄に請求項１記載の脱着式タモの柄伸縮部品を装着することで、今まで両手でタモの柄を伸縮していたことを片手でグリップを握ることだけで伸縮できるようにしたことを特徴とする脱着式タモの柄伸縮部品。
【請求項３】
請求項１記載の脱着式タモの柄伸縮部品をタモの柄に装着することにより、従来から使用されているタモの柄をそのまま加工することなく使用できることを特徴とする脱着式タモの柄伸縮部品。
【請求項４】
請求項１記載の脱着式タモの柄伸縮部品にあるグリップを握る回数などを操作することにより、タモの柄に伝わる伸縮動作をとめたりすることができ、使用者の使用しやすい長さでタモの柄を使用できることを特徴とした脱着式タモの柄伸縮部品。
【考案の詳細な説明】
【技術分野】
【０００１】    本発明は、魚を陸揚げするときに、タモ網及びギャフがタモの柄先端に装着される柄部材、すなわちタモの柄に装着して使用するタモの柄伸縮に関するものである。
【背景技術】
【０００２】    魚を陸揚げするときに使用する従来のタモの柄は、大きさの異なる筒状になった竿の先端にタモ網及びギャフを装着して、振り出して海面まで伸ばし使用していた。
ところが、従来のタモの柄は振り出して伸ばすことは片手で出来ていたが、魚を陸揚げする時には、一方の手でタモの柄を持ちもう一方の手でタモの柄を縮めて寄せ揚げなければならず、片手でタモの柄を縮めることはできなかった。【０００３】  魚を陸揚げするときに魚のかかった竿を手放して竿を操作できずになると、魚があばれたりして竿が手元から放れたり、ライントラブルをおこしたりすることから、片手で竿を操作しながら、もう片方の手でタモの柄を操作することが、不便なく魚を陸揚げするときの課題となっていた。【０００４】    先行の技術では、片手でタモの柄を縮めて魚を陸揚げするために、従来のタモの柄に加工をして使用する技術であるために、従来のタモの柄をそのまま使用することはできなかった。
【先行技術文献】
【特許文献】
【０００５】
【特許文献１】  特開２００１−２５１９９３号  公報
【０００６】
【特許文献２】  特開２００４−１２９５３３号  公報
【考案の概要】
【考案が解決しようとする課題】
【０００７】    しかしながら、従来のタモの柄では片手でタモの柄を縮めて魚を陸揚げすることは容易ではなかった。
さらに、従来のタモの柄をそのまま加工せずに片手で伸縮させることもできなかった。【０００８】    そこで、本発明は従来のタモの柄をそのまま加工することなく、タモの柄を縮める技術のついた部品をタモの柄に装着することで、片手で容易に使用出来る脱着式タモの柄伸縮部品を提供することを課題とする。
【課題を解決するための手段】
【０００９】    以上のことを解決するために、第一発明は従来のタモの柄にグリップを握る力をラチェットギヤに伝えて、ラチェットギヤに伝わった力をタモの柄に接触している円柱状の軸に伝えることで、タモの柄を縮めていける仕組みの部品をタモの柄に装着する。
このことにより、グリップを片手で握るだけでタモの柄を縮めることができる技術を特徴とした脱着式タモの柄伸縮部品である。【００１０】    また、第二の発明は従来のタモの柄に片手で握ってタモの柄を縮めることができる部品を、タモの柄に装着したことでタモの柄をそのまま加工することなく使用できることを特徴とした脱着式タモの柄伸縮部品である。【００１１】    また、第三の発明としてタモの柄に装着している部品のグリップを操作することで、使用者の使用しやすい長さにタモの柄を調節できることを特徴とした脱着式タモの柄伸縮部品である。
【考案の効果】
【００１２】    第一の発明によれば、従来のタモの柄本体１グリップ２を握る力をラチェットギヤ４に伝えラチェットギヤ４と連動する歯車１  ５が回転することにより、歯車１  ５と接触している歯車２  ６を回転させ、歯車２  ６と連動しているタモの柄に接触している円柱状の軸７が動くことにより、タモの柄を片手で縮めることができるようになった。【００１３】    第二の発明によれば、従来のタモの柄にタモの柄が縮めることができる本発明部品をタモの柄装着固定ベルト１・２  １７・１８で装着して使用することにより、タモの柄を加工することなくタモの柄をそのまま使用できるようになった。【００１４】    第三の発明によれば、タモの柄本体１に装着して使用する本発明のグリップ２とラチェットをまわす為にグリップに付属しているギヤ３とラチェットの爪連動操作部１５を操作することによりタモの柄を使用しやすい長さで使用できる。
【図面の簡単な説明】
【００１５】
【図１】図１は、本発明の実施形態に係る脱着式タモの柄伸縮部品の要部拡大断面図である。
【図２】図２は、本発明の実施形態に係る脱着式タモの柄伸縮部品の縦断面図である。
【図３】図３は、本発明とタモの柄本体１を装着する部分とラチェット爪連動操作部１５を示した図で、図１の反対図である。
【考案を実施するための形態】
【００１６】    以下、添付図面に従って、本考案を詳細に説明する。
歯車１  ５に連動しているラチェットギヤ４にグリップ２を握って得られる力で、ラチェット４をまわすことにより、歯車１  ５が回転する。
歯車１  ５と接触している歯車２  ６が回転して、歯車２  ６と連動している、円柱状の軸７が動くことにより、円柱状の軸７と接触しているタモの柄を縮めていくことができる。
【００１７】    歯車１  ５の歯数を歯車２  ６より大きくすることで、握る力が少なくても、タモの柄に伝わる動力を大きくすることができるようにした。
また、グリップ２を放したときに、グリップ戻し用バネ９によりもどるようにしてある。
【００１８】    グリップ２とラチェットギヤをまわす為のグリップに付属しているギヤ３を軸３  １４を設けることで、グリップ２がグリップ戻し用バネ９で戻るときに、ラチェットギヤ４のギヤにラチェットギヤをまわす為のグリップに付属しているギヤ３が引っかかることなく、なめらかに戻ることができる。
【実施例】
【００１９】    実施例を説明する。タモの柄本体１にタモの柄装着固定ベルト１・２  １７・１８で本発明を装着して使用する。
グリップ２を握ることでグリップ２に付いているラチェットギヤ４をまわす為の、ラチェットギヤをまわす為のグリップに付属しているギヤ３が、ラチェットギヤ４を回転させることにより、ラチェットギヤ４と連動して回転する歯車１  ５が、歯車１  ５と接触している歯車２  ６を回転させる、歯車２  ６と連動して回転するタモの柄と接触している円柱状の軸７がタモの柄を動かすことによりタモの柄を縮めることができる。
【実施形態の効果】
【００２０】    この実施形態によれば、タモの柄本体１に脱着して使用できるので、タモの柄を長くして使用しないときや一人でなく、他の人にタモの柄を操作してもらう時など使用しないでいい時は、装着せずに従来のタモの柄として使用できる。
【００２１】  片手で握るグリップ２の部分を電動モーターにしても、本考案の仕組みを利用して、タモの柄を縮めることができる。
しかし、電動モーターにした時のコストや装備の重量などを考えたときに、本考案のグリップを握ってギヤをまわし、その動力をタモの柄に伝えてタモの柄を縮めるようにしたほうが良い。
【符号の説明】
【００２２】  １    タモの柄本体
２    グリップ
３    ラチェットギヤをまわす為のグリップに付属しているギヤ
４    ラチェットギヤ
５    歯車１
６    歯車２
７    円柱状の軸
８    ラチェット爪
９    グリップ戻し用バネ
１０  ラチェット爪戻し用トーションバネ
１１  ラチェット爪とラチェット爪連動操作部のつなぎ軸
１２  軸１
１３  軸２
１４  軸３
１５  ラチェット爪連動操作部
１６  タモの接触用平ゴム
１７  タモの柄装着固定ベルト１
１８  タモの柄装着固定ベルト２
１９  タモの柄接触平ゴム留め部
２０  タモの柄装着固定ベルト留め部１
２１  タモの柄装着固定ベルト留め部２
２２  ケース
【図１】
0003196717.tif 000003
【図２】
0003196717.tif 000004
【図３】
0003196717.tif 000005
【手続補正書】
【提出日】平成26年12月17日(2014.12.17)
【手続補正１】
【補正対象書類名】実用新案登録請求の範囲
【補正対象項目名】全文
【補正方法】変更
【補正の内容】
【実用新案登録請求の範囲】
【請求項１】
魚を陸揚げするときに使用するタモの柄に装着される、脱着式タモの柄伸縮部品であって、ラチェットギヤと、握ることによってラチェットギヤをまわすグリップと、ラチェットギヤの回転を伝える二つの大きさの違う歯車と、前記二つの歯車のうち一つと連動し、タモの柄に接触してタモの柄を伸縮する円柱状の軸から構成される脱着式タモの柄伸縮部品。
【請求項２】
タモの柄に請求項１記載の脱着式タモの柄伸縮部品を装着することで、今まで両手でタモの柄を伸縮していたことを、片手でグリップを握りグリップを握った力をラチェットギヤに伝えて回転運動にして、その回転運動の力を二つの大きさの違う歯車に伝えて、歯車の回転する力をタモの柄に接触してタモの柄を伸縮する円柱状の軸に伝えることで、タモの柄を伸縮できるようにしたことを特徴とする脱着式タモの柄伸縮部品。
【請求項３】
請求項１記載の脱着式タモの柄伸縮部品をタモの柄に装着することにより、タモの柄をそのまま加工することなく使用できることを特徴とする脱着式タモの柄伸縮部品。
【請求項４】
請求項１記載の脱着式タモの柄伸縮部品にあるグリップを握る回数を操作し、またラチェットギヤ爪連動操作部を操作することで、ラチェットギヤを逆回転しないようにとめてある爪を動かすことにより、タモの柄に伝わる伸縮動作をとめたりすることができ、使用者の使用しやすい長さでタモの柄を使用できることを特徴とした脱着式タモの柄伸縮部品。
【手続補正２】
【補正対象書類名】明細書
【補正対象項目名】００１１
【補正方法】変更
【補正の内容】
【００１１】        また、第三の発明としてタモの柄に装着している部品のグリップ、又はラチェット爪連動操作部を操作することで、使用者の使用しやすい長さにタモの柄を調節できることを特徴とした脱着式タモの柄伸縮部品である。
【手続補正３】
【補正対象書類名】明細書
【補正対象項目名】００１４
【補正方法】変更
【補正の内容】
【００１４】    第三の発明によれば、タモの柄本体１に装着して使用する本発明のグリップ２とラチェットギヤを回すために先端がギヤ状のレバー３とラチェットの爪連動操作部１５を操作することによりタモの柄を使用しやすい長さで使用できる。
【手続補正４】
【補正対象書類名】明細書
【補正対象項目名】００１８
【補正方法】変更
【補正の内容】
【００１８】    グリップ２とラチェットギヤを回すために先端がギヤ状のレバー３を、そしてそれをとめるための軸３  １４を設けることで、グリップ２がグリップ戻し用バネ９で戻るときに、ラチェットギヤ４のギヤにラチェットギヤを回すために先端がギヤ状のレバー３が引っかかることなく、なめらかに戻ることができる。
【手続補正５】
【補正対象書類名】明細書
【補正対象項目名】００１９
【補正方法】変更
【補正の内容】
【００１９】    実施例を説明する。タモの柄本体１にタモの柄装着固定ベルト１・２  １７・１８で本発明を装着して使用する。
グリップ２を握ることでグリップ２に付いているラチェットギヤ４をまわす為の、ラチェットギヤを回すために先端がギヤ状のレバー３が、ラチェットギヤ４を回転させることにより、ラチェットギヤ４と連動して回転する歯車１  ５が、歯車１  ５と接触している歯車２  ６を回転させる、歯車２  ６と連動して回転するタモの柄と接触している円柱状の軸７がタモの柄を動かすことによりタモの柄を縮めることができる。
【手続補正６】
【補正対象書類名】明細書
【補正対象項目名】００２２
【補正方法】変更
【補正の内容】
【００２２】１    タモの柄本体
２    グリップ
３    ラチェットギヤを回すために先端がギヤ状のレバー
４    ラチェットギヤ
５    歯車１
６    歯車２
７    円柱状の軸
８    ラチェット爪
９    グリップ戻し用バネ
１０  ラチェット爪戻し用トーションバネ
１１  ラチェット爪とラチェット爪連動操作部のつなぎ軸
１２  軸１
１３  軸２
１４  軸３
１５  ラチェット爪連動操作部
１６  タモの接触用平ゴム
１７  タモの柄装着固定ベルト１
１８  タモの柄装着固定ベルト２
１９  タモの柄接触平ゴム留め部
２０  タモの柄装着固定ベルト留め部１
２１  タモの柄装着固定ベルト留め部２
２２  ケース